(57)【要約】【課題】土壌中の微生物を活性化するのに最適な活性化液を土壌へ施用して、この活性液で植物の生育に有用な微生物を増殖させ、これ等微生物で植物の健全で速やかな生育を達成させることにより、作物の飛躍的な増収と顕著な品質向上が図れる微生物活性化液を提供すること。【解決手段】チオ硫酸ナトリウムに１／３〜等量のアンモニアと１／３〜等量の糖を加えて原剤とし、この原剤を５〜２０倍の水により稀釈して施用液とし、該施用液を更に１０００〜３０００倍に希釈して土壌へ施用すること。【選択図】なし【特許請求の範囲】
【請求項１】
チオ硫酸ナトリウムに重量費で１／３〜等量のアンモニアと、同じく重量比で１／３〜等量の糖とを加えて原剤とし、この原剤を５〜２０倍の水により稀釈して原液とし、該原液を更に１０００〜３０００倍に希釈して土壌へ施用する
ことを特徴とした微生物活性液。
【請求項２】
チオグリコール酸アンモニウムに重量比で１／３〜等量のアンモニアを加えて原剤とし
、この原剤を５〜２０倍の水により稀釈して原液とし、該原液を更に１０００〜３０００倍に希釈して土壌へ施用する
ことを特徴とした微生物活性液。
【発明の詳細な説明】
【技術分野】
【０００１】
本発明は、土壌中の微生物を活性化する微生物活性液に関する。
【背景技術】
【０００２】
従来、ブドウ搾汁醗酵物、粉粕粒状コークス、ブドウ搾汁粕未熟水抽液、無煙炭粉末、米糠熱水抽出液、海草・魚介類体積土を混合した土壌改良剤を土壌に施用して、作物を元気にして病気に罹り難く、連作ができない植物を連作ができるようにする土壌活性剤は知られている。（例えば特許文献１）
【特許文献１】特開平９−１４０２５４号公報（第２頁）
【０００３】
しかしながら上記土壌改良剤は、植物に活性を与える目的のものであって、土壌中に棲息して植物の生育に大きく関わる微生物を活性化する機能は有しない。このため、微生物を活性化して微生物の力で植物の生育環境を醸成し、作物の収穫量、品質等を飛躍的に高めることは望むべくもないものである。
【発明の開示】
【発明が解決しようとする課題】
【０００４】
本発明は前記問題点を解消し、土壌中の微生物を活性化するのに最適な活性化液を土壌へ施用して、植物の生育に有用な微生物を増殖させ、これ等微生物で植物の健全で速やかな成熟を達成させることにより、作物の飛躍的な増収と顕著な品質向上とが図れる微生物活性液を提供することをその課題とする。
【課題を解決するための手段】
【０００５】
本発明は、前記課題を解決するため、以下の構成を採用することを特徴とする。
【０００６】
チオ硫酸ナトリウムに重量比で１／３〜等量のアンモニアと同じく重量比で１／３〜等量の糖を加えて原剤とし、この原剤を５〜２０倍の水により稀釈して原液を調製して、該原液を１０００〜３０００倍に希釈して土壌へ施用すること。
【０００７】
チオグリコール酸アンモニウムに重量比で１／３〜等量のアンモニアを加えて原剤とし、この原剤を５〜２０倍の水により稀釈して原液を調製して、該原液を１０００〜３０００倍に希釈して土壌へ施用すること。
【発明の効果】
【０００８】
請求項１の効果  チオ硫酸ナトリウムにアンモニアと糖を加えた原剤を水で稀釈して調製した原液を、水で適当に稀釈して使用する微生物活性剤は、その機能をまだ解明するに至っていないが、驚くべき微生物の活性化力を有するため、植物の生育に有用な土壌中の各種微生物をバランスよく増殖させて植物の成熟を助成するので、施肥や消毒を控えても植物は健全な生育を速やかに遂げて、最も少ないものでも２倍、最も多いものでは１０倍という驚くべき収量の増加が達成されて、作物の品位の向上も顕著であった。また、この微生物活性液は、微生物の育餌となる有機炭素元として最適である木屑堆肥へ浸透させると、木屑に含有されて微生物に有害なリグニンの分解除去と、木屑の有機炭素化が極めて効率よく行なわれて木屑堆肥を肥効に優れた実用品とすることができて、しかも、本微生物活性液を浸透させた木屑堆肥は、少なくとも従来は２年を要した完熟を３〜４ヶ月で完了させることが出来るという効果もある。
【０００９】
請求項２の効果  この微生物活性液は、チオグリコール酸アンモニウムとアンモニアの２剤を原剤としているが、加水して得られる原液は請求項１の活性液と同様の組成である
。このため、稀釈して使用すれば、請求項１の活性液と同様の作用効果が得られるので、この作用効果に関する説明は省略する。
【発明を実施するための最良の形態】
【００１０】
以下に本発明に係る微生物活性液の実施形態を説明する。
【実施例１】
【００１１】
この実施例の微生物活性液は、チオ硫酸ナトリウムにアンモニアと糖を加えた原剤を水で稀釈して原液を調製し、この原液を作物の種類、状態、その他に応じて適当な濃度に稀釈して土壌へ施用するものである。
【００１２】
この微生物活性液の主原料となるチオ硫酸ナトリウムは、Ｎａ２Ｓ２Ｏ３の構造式で示される組成の無色の結晶であって、ハイポの呼称で広く知られ、アンモニア及び糖を加えて微生物活性液の原剤を造る。
【００１３】
チオ硫酸ナトリウムに加えるアンモニアは、ＮＨ３の構造式で示される組成の無色の刺激臭の強い気体であるが、容易に液化するので液化したものを用いるものであって、このアンモニアをチオ硫酸ナトリウムへ加える量は、チオ硫酸ナトリウムに対して重量比で１／３〜等量とする。
【００１４】
チオ硫酸ナトリウムにアンモニアを加えたものに、更に加える糖は、水に溶けて甘味を持つ炭水化物であって、砂糖が価格面から適当であるが、他の糖でも差し支えない。この糖を加える量は、チオ硫酸ナトリウムに対して重量比で１／３〜等量とする。
【００１５】
チオ硫酸ナトリウムにアンモニアと糖を上記の通り加えた原剤ができたら、この原剤に対して５〜２０倍の水を加え、原剤をよく水中へ溶け込ませて原液を調製する。
【００１６】
上記のように調製された原液を土壌へ施用するには、原液を１０００〜３０００倍の水で稀釈して施用液とし、この施用液を噴霧機、潅水ポンプ等で土壌へ散布して、土壌へ浸透させることにより、土壌中の微生物がこれを吸収できるようにする。
【実施例２】
【００１７】
この実施例の微生物活性液は、チオグリコール酸アンモニウムにアンモニアを加えた原剤を水で稀釈して原液を調製し、この原液を作物の種類、状態、その他に応じて適当な濃度に稀釈して土壌へ施用するものである。
【００１８】
この微生物活性液の主原料となるチオグリコール酸アンモニウムは、ＨＳＣＨ２ＣＯＯＮＨ４の構造式で示される組成の不快臭のある液体であって、糖を含有するためアンモニアだけを加えて微生物活性液の原剤を造る。
【００１９】
チオグリコール酸アンモニウムに加えるアンモニアは、上記の通りＮＨ３の構造式で示される組成の無色の刺激臭の強い気体であり、容易に液化するのでこの液化したものを用いるものであって、このアンモニアをチオグリコール酸アンモニウムへ加える量は、チオ硫酸ナトリウムに対して重量比で１／３量〜等量とする。
【００２０】
チオグリコール酸アンモニウムにアンモニアを加えた原剤ができたら、この原剤に対して５〜２０倍の水を加え、原剤をよく水中に溶け込ませて活性液の原液を調製する。
【００２１】
上記のように調製された原液を土壌へ施用するには、原液を１０００〜３０００倍の水で稀釈して施用液とし、この施用液を噴霧機、潅水ポンプ等で土壌へ散布して、土壌へ浸透させることにより、土壌中の微生物がこれを吸収できるようにする。
【００２２】
実施例１及び実施例２で調製した施用液の土壌への散布等は、基本的には春秋等の耕作の前か、作物の樹勢、草勢が衰えたとき等に行なうが、天候や作物の状況、その他を観察して臨機に行なうようにする。
【００２３】
以下に本発明に係る微生物活性液を施用した実験例を示す。
（実験例１）
【００２４】
岡山県賀陽町の某農家で、庭に植えた梅の木の下の土壌へ、微生物活性液の原液を２０００倍に稀釈した施用液を、開花前に１回、花が散った後で１回、実が付いた頃に１回、散布した。そして、実の収穫期を待って収穫し、その量を計測したところ、７０リットルあり、例年の収量は７リットル程度であったの比較とすると、１０倍という驚異的な増収になっていた。
（実験例２）
【００２５】
愛知県田原町の某農材業者が、木粉１０００リットルに対して、土壌活性液の原液を２０００倍に稀釈した施用液３０リットルを加えてよく浸透させ、この木粉を牛舎に３０Ｃｍの厚さに敷いて床とした。この床は牛の糞尿が混入するに伴い醗酵を始めて、醗酵は日増しに激しくなって、３ヶ月を経過すると完熟した堆肥になり、直ぐに田畑へ施用できるものとなった。これは、畜産家が１年寝かし、これを受けた農家が更に１年寝かして、計２年を掛けないと完熟堆肥にはならなった従来の木粉堆肥に比べると驚異的な熟成期間の短縮であって、しかも、得られた堆肥は、木粉が含有リグニンを分解除去された有機炭素に変わっているため、土壌中の各種微生物に摂取されてこれら微生物のバランスが取れた繁殖を促すため地力の増進による作物の増収に著効を表した。
【産業上の利用可能性】
【００２６】
各種農作物の栽培において土壌中の微生物を活性化することにより、作物の品位と収率を高めるのに利用できる。